(57)【要約】【課題】外形寸法を大きくすることなく、実装される電子部品への悪影響がなく、信頼性の高い吸着面を有する電子部品モジュールを提供する。【解決手段】電子部品モジュール１０は、基板１１と、基板１１上に実装された電子部品１２と、電子部品１２を介して基板１１上に取り付けられた吸着シート１３とを備えている。吸着シート１３は、熱可塑性樹脂シート１５と、その一方の主面に形成された熱硬化性樹脂層１５からなる。熱可塑性樹脂シート１５は、電子部品モジュール１０をマザー基板へ自動実装する際、自動実装機の真空吸着ノズルの吸着面としての役割を果たし、熱硬化性樹脂層１４は、吸着シート１３を固着させるための接着層としての役割を果たす。吸着シート１３を取り付けた状態では、比較的高さのあるいくつかの電子部品１２の上面が熱硬化性樹脂層１４中に埋め込まれた状態となっており、吸着シート１３と基板１１との間には隙間が形成されている。【選択図】図１
2008124131.tif 000002
【特許請求の範囲】
【請求項１】
基板と、
前記基板上に実装された電子部品と、
少なくとも熱硬化性樹脂層を有する表面が平坦な吸着シートとを備え、
前記吸着シートは、前記熱硬化性樹脂層と前記基板上に実装された電子部品との接続を介して前記基板上に取り付けられており、
前記電子部品を実装させた基板と前記熱硬化性樹脂層との間には隙間が設けられていることを特徴とする電子部品モジュール。
【請求項２】
前記吸着シートは、熱可塑性樹脂シートをさらに含み、
前記熱可塑性樹脂シートの一方の主面側に前記熱硬化性樹脂層が形成されていることを特徴とする請求項１に記載の電子部品モジュール。
【請求項３】
前記熱硬化性樹脂層の厚みが前記熱可塑性樹脂シートよりも厚いことを特徴とする請求項２に記載の吸着シート。
【請求項４】
前記熱可塑性樹脂シートがポリイミド系樹脂を含むことを特徴とする請求項２又は３に記載の吸着シート。
【請求項５】
前記熱硬化性樹脂層がエポキシ系樹脂を含むことを特徴とする請求項1乃至４のいずれか一項に記載の吸着シート。
【請求項６】
前記熱硬化性樹脂層の熱膨張係数が５０ｐｐｍ／℃以下であり、且つガラス転移温度が１２５℃以上であることを特徴とする請求項1乃至５のいずれか一項に記載の吸着シート。
【請求項７】
前記基板がセラミック材料を含むことを特徴とする請求項１又は６のいずれか一項に記載の電子部品モジュール。
【請求項８】
電子部品が実装された基板に、少なくとも熱硬化性樹脂層を有する表面が平坦な吸着シートを仮付けする吸着シート仮付け工程と、
前記吸着シートの前記熱硬化性樹脂層を熱プレスにより半溶融状態にして、基板上に実装された電子部品の上面部分のみが覆われるように凹凸を吸収させた後、熱硬化させることにより、前記吸着シートを前記基板上に取り付ける吸着シート固定工程を含み、
前記吸着シート仮付け工程は、前記基板と吸着シートとの間の隙間を確保しながら前記電子部品の上部を前記熱硬化性樹脂層に埋め込む工程を含むことを特徴とする電子部品モジュールの製造方法。
【請求項９】
前記吸着シート仮付け工程の前に、前記吸着シートを作製する吸着シート作製工程をさらに含み、
前記吸着シート作製工程は、平坦面を有する熱可塑性樹脂シートの一方の主面側に前記熱硬化性樹脂層を形成する工程を含むことを特徴とする請求項８に記載の電子部品モジュールの製造方法。
【請求項１０】
未加工の吸着シートを所定の吸着面の大きさに裁断し、裁断後の吸着シートを前記吸着シート仮付け工程において用いることを特徴とする請求項８又は９に記載の電子部品モジュールの製造方法。
【請求項１１】
前記基板及び前記吸着シートが多チップ分に対応するものであり、前記多チップ分の樹脂シートを前記基板上に一括して取り付けた後、前記基板と一緒に前記樹脂シートを裁断することを特徴とする請求項８又は９に記載の電子部品モジュールの製造方法。
【発明の詳細な説明】
【技術分野】
【０００１】
また、本発明は、電子部品モジュール及びその製造方法に関し、特に、自動実装のための吸着面を有する電子部品モジュールの構造及びこの電子部品モジュールの製造方法に関するものである。
【背景技術】
【０００２】
基板上にセラミックコイル、コンデンサ、抵抗、半導体デバイスなどの各種電子部品を実装し、高周波モジュール等を構成した表面実装型の電子部品モジュールが知られている。この種の電子部品では、マザー基板への自動実装を実現するため、金属製のシールドケースの上面や樹脂モールドの平坦な上面を真空吸着ノズルの吸着面として利用することが一般的である（特許文献１参照）。また、電子部品モジュールのさらなる小型・低背化を図るため、基板全体を吸着板で覆うのではなく、基板の略中央部分に吸着板を設ける方法も提案されている（特許文献２及び３参照）。
【特許文献１】特開２０００−３４７４８３号公報
【特許文献２】特開平１１−４６０９６号公報
【特許文献３】特開２００３−７８２２９号公報
【発明の開示】
【発明が解決しようとする課題】
【０００３】
しかしながら、金属製のシールドケースを用いる場合は、シールドケースの搭載領域を基板上に確保しなければならず、製品寸法が基板寸法よりも一回り大きくなるという問題がある。また、樹脂モールドを用いる場合は、樹脂と基板、或いは樹脂や実装部品との熱膨張係数の差から品質面の問題が生じ易いため、その樹脂材料の選定が問題となる。つまり、樹脂が固まるときの収縮で基板や実装部品に応力を生じさせて、それが原因で実装面がはずれたり、実装部品が損傷したりするという問題がある。また、線膨張係数の違いや樹脂モールドの埋まり具合の悪さから樹脂モールド中又は樹脂モールドと基板又は実装部品との間にわずかな隙間が形成され、リフロー工程に流したときに溶けた半田が毛細管現象によってこの隙間に入り込むことにより、実装部品間がショートしてしまうという問題がある。
【０００４】
また、特許文献２又は３に示す従来の電子部品モジュールでは、吸着板を基板上に固定するために、常温硬化タイプのシリコン接着剤、アクリル系接着剤、両面テープ等、粘着性を有する接着剤が用いられているが、このような接着剤では吸着板が比較的はがれやすく、信頼性の面で大きな問題がある。
【０００５】
したがって、本発明の目的は、外形寸法を大きくすることなく、実装される電子部品への悪影響がなく、信頼性の高い吸着面を有する電子部品モジュールを提供することにある。また、本発明の目的は、そのような信頼性の高い電子部品モジュールを製造するための製造方法を提供することができる。
【課題を解決するための手段】
【０００６】
本発明の上記目的は、基板と、前記基板上に実装された電子部品と、少なくとも熱硬化性樹脂層を有する表面が平坦な吸着シートとを備え、前記吸着シートは、前記熱硬化性樹脂層と前記基板上に実装された電子部品との接続を介して前記基板上に取り付けられており、前記電子部品を実装させた基板と前記熱硬化性樹脂層との間には隙間が設けられていることを特徴とする電子部品モジュールによって達成される。
【０００７】
本発明によれば、電子部品モジュールの吸着面の取り付けに熱硬化性樹脂を用い、電子部品の上面部分のみをモールドすることにより、高さの異なる各種電子部品が実装された基板上に自動実装用の吸着面を確実に形成することができ、外形寸法を大きくすることなく、実装部品への悪影響がなく、信頼性の高い電子部品モジュールを提供することができる。また、吸着シートと熱硬化性樹脂層との間に隙間を有することから、熱硬化性樹脂と基板、或いは熱硬化性樹脂と実装部品との線膨張係数の違いによる過剰な応力の発生を防止することができ、基板の反り、クラックの発生、ショート不良等、種々の不具合を防止することができる。
【０００８】
本発明において、前記吸着シートは、熱可塑性樹脂シートをさらに含み、前記熱可塑性樹脂シートの一方の主面に前記熱硬化性樹脂層が形成されていることが好ましい。吸着シートが熱可塑性樹脂シートと熱硬化性樹脂層の二層構造を有する場合には、吸着面の平坦性と十分な取り付け強度の両方を確保することができ、実装時の作業性を向上させることができる。
【０００９】
本発明においては、前記熱硬化性樹脂層の厚みが前記熱可塑性樹脂シートよりも厚いことが好ましい。これによれば、電子部品の上面が熱硬化性樹脂層に埋め込まれることから、吸着シートの十分な接着強度を確保することができ、熱可塑性樹脂シートによる平坦性を確保すると同時にモジュールの高さを低くすることができる。
【００１０】
本発明においては、前記熱可塑性樹脂シートがポリイミド系樹脂を含むことが好ましい。ポリイミド系樹脂を用いた場合には、吸着面としての十分な平坦性及び平滑性を有し、耐熱性に優れた吸着面を得ることができる。
【００１１】
本発明においては、前記熱硬化性樹脂層がエポキシ系樹脂を含むことが好ましく、前記熱硬化性樹脂層の熱膨張係数が５０ｐｐｍ／℃以下であり、且つガラス転移温度が１２５℃以上であることが特に好ましい。このようなエポキシ系樹脂であれば、十分な接着強度を確保することができる。
【００１２】
本発明においては、前記基板がセラミック材料を含むことが好ましい。セラミック基板は、耐熱・耐湿性や高周波特性に優れる反面、熱硬化性樹脂との線膨張係数の差が大きいことから、本発明による顕著な効果を得ることができる。
【００１３】
本発明の上記目的はまた、電子部品が実装された基板に、少なくとも熱硬化性樹脂層を有する表面が平坦な吸着シートを仮付けする吸着シート仮付け工程と、前記吸着シートの前記熱硬化性樹脂層を熱プレスにより半溶融状態にして、基板上に実装された電子部品の上面部分のみが覆われるように凹凸を吸収させた後に更に、熱硬化させることにより、前記吸着シートを前記基板上に取り付ける吸着シート固定工程を含み、前記吸着シート仮付け工程は、前記基板と吸着シートとの間の隙間を確保しながら前記電子部品の上部を前記熱硬化性樹脂層に埋め込む工程を含むことを特徴とする電子部品モジュールの製造方法によっても達成される。
【００１４】
本発明においては、前記吸着シート仮付け工程の前に、前記吸着シートを作製する吸着シート作製工程をさらに含み、前記吸着シート作製工程は、平坦面を有する熱可塑性樹脂シートの一方の主面に前記熱硬化性樹脂層を形成する工程を含むことが好ましい。これによれば、
【００１５】
本発明においては、未加工の吸着シートを所定の吸着面の大きさに裁断し、裁断後の吸着シートを前記吸着シート仮付け工程において用いてもよい。また、本発明においては、前記基板及び前記吸着シートが多チップ分に対応するものであり、前記多チップ分の樹脂シートを前記基板上に一括して取り付けた後、前記基板と一緒に前記樹脂シートを裁断してもよい。
【発明の効果】
【００１６】
このように、本発明によれば、外形寸法、特にモジュールの高さを大きくすることなく、実装される電子部品への過剰な応力の発生等の悪影響がなく、信頼性の高い吸着面を有する電子部品モジュールを提供することができる。また、本発明によれば、そのような信頼性の高い電子部品モジュールを製造するための製造方法を提供することができる。
【発明を実施するための最良の形態】
【００１７】
以下、添付図面を参照しながら、本発明の好ましい実施の形態について詳細に説明する。
【００１８】
図１は、本発明の好ましい実施形態に係る電子部品モジュールの構成を示す略側面断面図である。
【００１９】
図１に示すように、電子部品モジュール１０は、基板１１と、基板１１上に実装された電子部品１２と、電子部品１２を介して基板１１上に取り付けられた吸着シート１３とを備えている。
【００２０】
基板１１は、表層又は内層に配線パターンが印刷された回路基板である。基板１１としては、耐熱性・耐湿性に優れ、高周波特性の良好なセラミック基板であることが好ましく、ＬＴＣＣ（Low Temperature Co-fired Ceramic：低温焼成セラミック）基板であることが特に好ましい。ＬＴＣＣは、９００℃以下での低温焼成が可能であるため、Ａｇ、Ｃｕ等の低融点であるが高周波特性に優れた材料を内部配線に使用でき、これにより抵抗損失の少ない配線パターンを実現できる。また、配線パターンを内層に形成できるので、多層化が容易であり、ＬＣ機能を多層基板に内蔵することで小型化、高機能化が可能である。
【００２１】
電子部品１２は、能動素子、或いは受動素子のチップ部品である。これらは通常、リフロー工程を経て基板１１上に表面実装され、電子部品１２間は基板１１の表層又は内層に形成された配線パターンを介して電気的に接続される。これにより、高周波モジュールやＩＣパッケージを構成することができる。
【００２２】
吸着シート１３は、電子部品モジュール１０をマザー基板（不図示）へ自動実装する際、自動実装機の真空吸着ノズルの吸着面として機能する。本実施形態の吸着シート１３は、熱可塑性樹脂シート１５と、その一方の主面に形成された熱硬化性樹脂層１４からなる二層構造を有している。
【００２３】
熱可塑性樹脂シート１５は、実際の吸着面としての役割を果たすため、十分な平坦性及び平滑性を有することが必要である。ただし、熱硬化性樹脂層１５と接する面には多少の凹凸があってもかまわない。熱可塑性樹脂シート１５は、吸着シート１３を基板１１上に取り付ける際の熱プレス時、或いはその後の加熱工程によって変形することがないよう、耐熱性に優れたものであることが必要である。熱可塑性樹脂シート１５の材料としてはポリイミド系樹脂を用いることが好ましいが、これに限定されるものではなく、同様の特性を有する他の材料を用いることも可能である。熱可塑性樹脂シート１５の厚みは、電子部品モジュール１０全体の高さに影響を与えることから、吸着面としての平坦性及び平滑性を確保できる限りにおいてできるだけ薄いほうが好ましいが、作業性を考慮すると３０〜１００μm程度が好ましい。
【００２４】
熱硬化性樹脂層１４は、吸着シート１３を固着させるための接着層としての役割を果たす。熱硬化性樹脂層１４の材料としてはエポキシ系樹脂を用いることが好ましいが、これに限定されるものではなく、同様の特性を有する他の材料を用いることも可能である。この場合、熱硬化性樹脂層１４の熱膨張係数は、基板１１に使用されるＬＴＣＣの熱膨張係数が５~９ｐｐｍ／℃程度であることや、熱硬化性樹脂１４の熱硬化後の弾性係数が高く基板１１に大きな応力を加えることを考慮すると５０ｐｐｍ／℃以下であることが好ましい。また、ガラス転移温度は、ガラス転移温度以上で熱硬化性樹脂の物性が大きく変化すること、及びモジュールをマザーボードに実装する時の過熱による影響を考慮すると、通常の電子部品の補償温度以上である１２５℃以上であることが好ましい。熱硬化性樹脂層１４は、各種電子部品の高さの違いを吸収し、吸着面としての平行性を確保するため、ある程度の厚みを有することが好ましい。ただし、熱硬化性樹脂層１４が厚すぎると吸着シート１３と基板１１との間に隙間を形成する必要があることから、実装部品中において高さ寸法が最も大きな電子部品の高さよりも薄くすることが好ましい。しかしながら、近年の表面実装用電子部品の小型、低背化により、電子部品の厚さは３００〜１０００μmと多岐にわたるため、これらの電子部品の凹凸をできるだけ吸収できるように、１２０〜５００μmの厚みであることが好ましい。基板上に実装された電子部品の高さの差が大きい時には高さの低い電子部品の一部は熱硬化性樹脂層と接していない場合でも本発明の機能に関しては大きな問題となることは無い。吸着シート１３と基板１１との間に隙間を設けたのは以下の理由による。
【００２５】
上述の通り、基板１１上の実装部品全体を樹脂モールドで封止する従来の方法では、樹脂材料と基板、或いは樹脂材料と実装部品との線膨張係数の違いから、樹脂が固まるときの収縮で部品に応力を生じさせて、それが原因で実装面が外れたり、チップ部品が損傷したりするという問題がある。特に、基板としてＬＴＣＣを用いる場合には、樹脂との線膨張係数の差が大きいことから、過剰な応力の発生等による基板の反り、クラックの発生等、品質面の問題が生じやすい。また、線膨張係数の違いや樹脂モールドの埋まり具合の悪さから樹脂モールド中又は樹脂モールドと基板又は実装部品との間に細かい隙間が形成され、リフロー工程に流したとき溶けた半田がこの細かい隙間に入り込むことによって実装部品間がショートしてしまうという問題がある。しかしながら、基板１１と熱硬化性樹脂層１４との間に十分な隙間を設けた場合には、熱収縮により電子部品の実装面がはずれたり、実装部品が損傷したりすることはほとんどなく、また毛細管現象による半田の流動も発生しないので、上記諸問題を解決することができる。
【００２６】
吸着シート１３を取り付けた状態では、比較的高さのあるいくつかの電子部品１２の上面が熱硬化性樹脂層１４中に埋め込まれた状態となっている。熱硬化性樹脂層１４を電子部品１２の上面にめりこませることにより、吸着シート１３を確実に固着させることができるだけでなく、基板１１に実装された各種電子部品の高さの違いを吸収し、基板面と吸着面との平行性を確保することができ、マザー基板への高精度な実装が可能となる。また、粘着性の接着手段を用いて電子部品の上面だけで接着する方法では、高さ寸法の最も高いいくつかの電子部品の上面だけが接着対象となるため、接着力が十分でなかったが、本実施形態によれば、比較的背丈の低い電子部品も接着対象となり、その上面に熱硬化性樹脂層がめりこむので、吸着シートの接着力を高めることができる。したがって、従来の粘着性接着剤を用いた場合に比べて十分な接続信頼性を得ることができる。
【００２７】
次に、図２を参照しながら、吸着シートの取り付け方法について説明する。
【００２８】
図２は、吸着シート１３の取り付け方法を説明するための模式図である。
【００２９】
吸着シート１３の取り付けでは、図２（ａ）に示すように、まず電子部品１２が実装された基板１１及び吸着シート１３を用意する。このとき吸着シート１３は基板１１の電子部品１２側に単に載せるだけでも良く、また、圧着、接着剤等により仮止めをして固定しても良い。次に、吸着シート１３の熱硬化性樹脂層１４側を電子部品１２側に向けて所定の圧力で加熱プレスする。加熱プレスでは熱硬化性樹脂層１４が半溶融状態になるように８０〜９０℃の温度で加熱しながら、基板１１上に実装された電子部品１２の上面部分のみをモールドするように調整し、硬化を促進させる。その後、図２（ｂ）に示すように、吸着シート１３を１５０〜１８０℃の温度で更に加熱して熱硬化性樹脂層１４を完全に熱硬化させることにより、吸着シート１３は電子部品を介して基板上に取り付けられた状態となる。
【００３０】
次に、図３及び図４を参照しながら、吸着シート１３の取り付け工程を含む電子部品モジュール１０の全体的な製造手順について説明する。
【００３１】
図３は、電子部品モジュール１０の製造工程の一例を示す模式図である。
【００３２】
図３に示すように、この製造工程では、多チップ分の面積を有する基板３１を用意し、この基板３１上に各種電子部品３２を実装する。次に、基板３１を所定のチップサイズの基板１１に切り分けた後、チップサイズに対応する大きさの吸着シート１３を図２に示した方法で取り付けることにより、自動実装用の吸着面を有する個々の電子部品モジュール１０が完成する。
【００３３】
図４は、電子部品モジュール１０の製造工程の他の例を示す模式図である。
【００３４】
図４に示すように、この製造工程では、まず多チップ分の面積を有する基板３１を用意し、この基板３１上に各種電子部品３２を実装する。次に、この基板３１上に基板全体をカバーする吸着シート３３を図２に示した方法で取り付ける。その後、基板３１と吸着シート３３を一緒に裁断して所定のチップサイズに切り分けることにより、図３の場合と同様、自動実装用の吸着面を有する個々の電子部品モジュール１０が完成する。
【００３５】
以上説明したように、本実施形態によれば、熱可塑性樹脂シート１５の一方の主面に熱硬化性樹脂層１４が形成された二層構造の樹脂シートを電子部品モジュール１０の自動実装用の吸着面として用いることとしたので、高さの異なる各種電子部品１２が実装された基板１１上に自動実装用の吸着面を確実に形成することができ、外形寸法を大きくすることなく、実装部品への悪影響がなく、信頼性の高い電子部品モジュールを提供することができる。
【００３６】
また、本実施形態によれば、熱硬化性樹脂層１４の厚み、及び加熱時の条件を調整することで、モジュールに実装される部品の配置に制約されることなく、実装部品の高さの違いを吸収することが可能であり、吸着面の平坦性、平行性を確保することができる。また、熱可塑性樹脂シート上の接着層にあたる部位に熱硬化型樹脂層を使用することで、加熱時に熱硬化型樹脂層が溶融する際、だれや形状変形を防ぎ、その接着層の形成を非常に容易することができる。熱可塑性樹脂シートを使わない場合には、半硬化状の熱硬化性樹脂シートのみで形成することもできるが、加熱時に熱硬化性樹脂シートを溶融する際の加熱条件をより厳密に制御する必要が生じる。また、熱可塑性樹脂シートの片面にペースト状の熱硬化性樹脂を印刷より形成することも可能である。また、熱可塑性樹脂シートと半硬化状の熱硬化性樹脂シートを張り合わせて吸着シート１３とすることもできる。
【００３７】
本発明は、以上の実施形態に限定されることなく、本発明の趣旨を逸脱しない範囲内で種々の変更を加えることが可能であり、それらも本発明の範囲に包含されるものであることはいうまでもない。
【００３８】
例えば、上記実施形態においては、吸着シート１３が熱可塑性樹脂シート１５と熱硬化性樹脂層１５からなる二層構造を有しているが、本発明はこのような構造に限定されるものではなく、例えば、熱可塑性樹脂シート１５の代わりに金属薄膜を用い、金属薄膜と熱硬化性樹脂層１４の二層構造としてもよい。また、熱可塑性樹脂シート１５を用いず、熱硬化性樹脂層１４のみで構成されていてもよい。さらにまた、三層以上の多層構造であってもよく、例えば、熱硬化性樹脂層１４と熱可塑性樹脂シート１５との間、或いは熱可塑性樹脂シート１５の表面に他の層を形成してもよい。
【図面の簡単な説明】
【００３９】
【図１】図１は、本発明の好ましい実施形態に係る電子部品モジュールの構成を示す略側面断面図である。
【図２】図２は、吸着シート１３の取り付け方法を説明するための模式図である。
【図３】図３は、電子部品モジュールの製造工程の一例を示す模式図である。
【図４】図４は、電子部品モジュールの製造工程の他の例を示す模式図である。
【符号の説明】
【００４０】
１０    電子部品モジュール
１１    基板
１２    電子部品
１３    吸着シート
１４    熱硬化性樹脂層
１５    熱可塑性樹脂シート
３１    多チップ分の基板
３２    電子部品
３３    多チップ分の吸着シート
【図１】
2008124131.tif 000003
【図２】
2008124131.tif 000004
【図３】
2008124131.tif 000005
【図４】
2008124131.tif 000006